(57)【要約】【課題】製造時の組み立て作業を効率良く行なうことができるだけでなく、コンパクトに構成することができる継ぎ手装置を提供する。【解決手段】有底筒状の本体８内部に収納されて後端が本体８の底部外方に連通し、閉塞された先端近傍の周壁に開口する側孔６を有する中空の細管５を設ける。細管５の先端部に摺動自在に外挿されて細管５の側孔を閉塞する筒状部材１１を設ける。筒状部材１１の後端に細管５の後端に向って細管５から次第に離間する略円錐筒状に形成されたスカート部１２を設ける。スカート部１２に複数の環状の折目線１６を設ける。筒状部材１１が細管５に沿って後退したとき、スカート部１２が折目線１６を介して屈曲してその小径側が大径側の内方に収納され、スカート部１２の復元弾性により付勢力を筒状部材１１に付与する。【選択図】図１
2004105630.tif 000002
【特許請求の範囲】
【請求項１】
有底筒状の本体と、
該本体内部に収納されて後端が該本体の底部外方に連通し、閉塞された先端近傍の周壁に開口する側孔を有する中空の細管と、
該細管の先端部に摺動自在に外挿されて該細管の側孔を閉塞する弾性材料による筒状部材と、
該筒状部材の後端に一体に連設され、前記細管の後端に向って該細管から次第に離間する略円錐筒状に形成されたスカート部と、
該スカート部の軸線方向に所定間隔を存して配列された複数の環状の折目線とを備えてなり、
前記筒状部材が細管に沿って後退したとき、前記スカート部が前記折目線を介して屈曲してその小径側が大径側の内方に収納され、該スカート部の復元弾性により付勢力を前記筒状部材に付与することを特徴とする継ぎ手装置。
【発明の詳細な説明】
【０００１】
【発明の属する技術分野】
本発明は、継ぎ手装置に関し、詳しくは、例えば、点滴の薬液流路に設けてチューブ等の先端に設けられた筒状の接続端部を接続する継ぎ手装置に関する。
【０００２】
【従来の技術】
従来、この種の継ぎ手装置は、円筒状の本体内部に延設された中空の細管と、本体内部において該細管に外挿されて進退方向に摺動自在のゴム製の筒状部材とを備えている（例えば、特許文献１参照）。
【０００３】
前記細管は、その閉塞された先端近傍の周壁に開口する側孔が形成されており、前記筒状部材は、細管の先端部に位置するとき側孔を閉塞する。これにより、本体の先端にシリンジのルアーテーパ等を挿着したとき、シリンジやチューブ等の先端に設けられた筒状の接続端部に押圧された筒状部材が後退して細管の側孔が開放されると同時に、細管が前記接続端部の内部に侵入して導通状態となる。また、本体内部にはコイルスプリングが設けられており、該コイルスプリングによって後退時の筒状部材を前進方向に付勢する。これにより、本体の先端から前記接続端部を抜き取った際に、該コイルスプリングの付勢により筒状部材が前進し、細管の側孔が閉塞される。
【０００４】
しかし、このような従来の構成によると、筒状部材に付勢力を付与するためにコイルスプリングが採用されているために、製造時の組み立て工程においてコイルスプリングの取扱いが煩わしく、作業効率が低下する不都合がある。
【０００５】
そこで、例えば、筒状部材の後端を細管に沿って円筒状に延出させてスカート部を設け、筒状部材が後退した際にスカート部を圧縮させて伸長方向への復元弾性を得ることで、コイルスプリングに代えることが考えられる。これによって、コイルスプリングを不要とし、しかも、部品点数を削減できるので、製造時の組み立て作業を効率良く行なうことができる。
【０００６】
しかし、単に筒状部材の後端から細管に沿って筒状に延出させて前記スカート部を形成しただけでは、筒状部材が後退して圧縮されたスカート部の長さ寸法が比較的大きく、継ぎ手装置をコンパクトに構成することが困難となる不都合がある。
【０００７】
【特許文献１】
特開平１０−１５０７９号公報
【０００８】
【発明が解決しようとする課題】
かかる不都合を解消して、本発明は、製造時の組み立て作業を効率良く行なうことができるだけでなく、コンパクトに構成することができる継ぎ手装置を提供することを目的とする。
【０００９】
【課題を解決するための手段】
かかる目的を達成するために、本発明の継ぎ手装置は、有底筒状の本体と、該本体内部に収納されて後端が該本体の底部外方に連通し、閉塞された先端近傍の周壁に開口する側孔を有する中空の細管と、該細管の先端部に摺動自在に外挿されて該細管の側孔を閉塞する弾性材料による筒状部材と、該筒状部材の後端に一体に連設され、前記細管の後端に向って該細管から次第に離間する略円錐筒状に形成されたスカート部と、該スカート部の軸線方向に所定間隔を存して配列された複数の環状の折目線とを備えてなり、前記筒状部材が細管に沿って後退したとき、前記スカート部が前記折目線を介して屈曲してその小径側が大径側の内方に収納され、該スカート部の復元弾性により付勢力を前記筒状部材に付与することを特徴とする。
【００１０】
本発明の継ぎ手装置によれば、例えばシリンジやチューブ等の先端に設けられた筒状の接続端部を前記本体に挿着したとき、接続端部に当接されて押圧された前記筒状部材が前記細管に沿って後退される。これに伴い、該筒状部材によって閉塞されていた細管の側孔が開放されると共に、該細管の側孔がシリンジやチューブ等の接続端部に挿入された状態で連通する。
【００１１】
一方、該筒状部材には、前記スカート部が連設されていることにより、該スカート部が筒状部材の後退に伴って圧縮されて復元弾性による付勢力が発生する。このとき、該スカート部が環状の折目線を介して屈曲してその小径側が大径側の内方に収納される。これにより、従来のようなコイルスプリングを設けることなく、前記筒状部材に前進方向の付勢力を付与することができるだけでなく、該スカート部の小径側が大径側の内方に収納されることによって該スカート部の全長を比較的短くすることができる。
【００１２】
そして、シリンジやチューブ等の接続端部を前記本体から抜き取った場合には、前記スカート部の復元力によって筒状部材が前進されて細管の側孔が確実に閉塞される。
【００１３】
このように、本発明によれば、筒状部材に一体に前記スカート部を設けたことにより、部品点数を削減できるので、製造時の組み立て作業を効率良く行なうことができる。しかも、それだけでなく、圧縮時のスカート部の全長を比較的短くすることができるので、本体内のスカート部の収容スペースを小とすることができ、継ぎ手装置をコンパクトに構成することができる。
【００１４】
【発明の実施の形態】
本発明の一実施形態を図面に基づいて説明する。図１は本実施形態の継ぎ手装置を示す説明的断面図、図２は図１の継ぎ手装置の接続状態を示す説明的断面図である。
【００１５】
本実施形態の継ぎ手装置１は、図１に示すように、３方活栓２の一つのポート３に設けられている。該ポート３には筒状の細管支持部４を介して金属製の細管５が挿着されている。該細管５は中空に形成され、基端が前記ポート３に連通されている。該細管５の先端は閉塞され、その先端寄りの周壁に側孔６が開口形成されている。
【００１６】
前記細管支持部４の外周には、図１及び図２に示すように、円筒状の外筒支持部７を介して外筒８が連結支持されている。該外筒８の先端には、図示しないシリンジやチューブの先端に設けられた円筒状の接続端部９（図２参照）を挿着する挿着部１０が形成されている。本実施形態においては、３方活栓２、細管支持部４、外筒支持部７、及び外筒８により本発明の本体を構成している。
【００１７】
該外筒８の内部において、前記細管５の先端部にはゴム製の筒状部材１１が進退自在に装着されており、該筒状部材１１によって細管５の側孔６が閉塞されている。また、該筒状部材１１の後端には、その後方に向って次第に拡径する円錐筒状のスカート部１２が一体に連設されている。
【００１８】
前記筒状部材１１の先端には、前記外筒８の挿着部１０に露出して図示しないシリンジやチューブの接続端部９が当接される当接面１３が形成されている。また、筒状部材１１の先端外周には外方に突出する凸部１４が形成されており、外筒８の挿着部１０の内周に突設された規制部１５により凸部１４が規制されて抜け止めされている。
【００１９】
更に、該筒状部材１１及びスカート部１２は、複数の環状の肉薄部１６と複数の環状の肉厚部１７とが交互に配設された形状に形成されいる。各肉薄部１６はスカート部１２の折目線を形成するものであり、該筒状部材１１の後退に伴ってスカート部１２が圧縮されたときには、図２に示すように、何れかの肉薄部１６を介して該スカート部１２が屈曲し、該スカート部１２の小径側が大径側の内方に収納される。
【００２０】
即ち、図２に示すように、前記外筒８の挿着部１０に図示しないシリンジやチューブの先端に設けられた接続端部９を挿着したとき、先ず、該接続端部９に押圧された筒状部材１１が後退して、細管５の側孔６が開放される。このとき、相対的に細管５が接続端部９の内部に挿入されるので、接続端部９と３方活栓２のポート３とが細管５を介して連通する。
【００２１】
更にこのとき、筒状部材１１が後退してスカート部１２が圧縮され復元弾性が生じる。これにより、該筒状部材１１はスカート部１２によって前進方向への付勢力が付与される。この状態で、スカート部１２は、その小径側が大径側の内方に収納されるので、極めてコンパクトに圧縮されると同時に十分な付勢力を発生することができる。
【００２２】
その後、前記外筒８の挿着部１０から接続端部９を引き抜いたときには、筒状部材１１がスカート部１２の伸長方向の復元力によって前進し、筒状部材１１によって細管５の側孔６が迅速且つ確実に閉塞される。
【００２３】
このように、本実施形態によれば、前記スカート部１２を設けるだけで筒状部材１１に前進方向の付勢力を付与することができるので、例えば従来のようにコイルスプリングを設けた場合に比して部品定数を削減でき、しかもコンパクトに構成することができる。
【図面の簡単な説明】
【図１】本発明の一実施形態の継ぎ手装置を示す説明的断面図。
【図２】図１の継ぎ手装置の接続状態を示す説明的断面図。
【符号の説明】
１…継ぎ手装置、５…細管、６…側孔、８…外筒（本体）、１１…筒状部材、１２…スカート部、１６…肉薄部（折目線）。
【図１】
2004105630.tif 000003
【図２】
2004105630.tif 000004